(57)【要約】【課題】駆動速度を向上できるようにしたデータ駆動部を提供する。【解決手段】データの上位ビットに対応して、外部から供給される多数の基準電圧のうち２つの基準電圧を選択するための第１デジタル−アナログ変換部と、前記２つの基準電圧を多数の電圧に分圧し、前記データの下位ビットに対応して、前記２つの基準電圧及び前記分圧された電圧のいずれか１つの電圧をデータ信号として出力端子に供給するための第２デジタル−アナログ変換部とを備え、前記第２デジタル−アナログ変換部は、前記データ信号が供給される前に前記２つの基準電圧の間の中間階調電圧を前記出力端子に供給する。【選択図】図８
2007156458.tif 000002
【特許請求の範囲】
【請求項１】
データの上位ビットに対応して、外部から供給される複数の基準電圧のうち２つの基準電圧を選択するための第１デジタル−アナログ変換部と、
前記２つの基準電圧を複数の電圧に分圧し、前記データの下位ビットに対応して、前記２つの基準電圧及び前記分圧された電圧のいずれか１つの電圧をデータ信号として出力端子に供給するための第２デジタル−アナログ変換部と、を備え、
前記第２デジタル−アナログ変換部は、前記データ信号を前記出力端子に供給する前に、前記２つの基準電圧の間の中間階調電圧を前記出力端子に供給することを特徴とするデータ駆動部。
【請求項２】
前記第１デジタル−アナログ変換部は、前記複数の基準電圧のうち前記２つの基準電圧を供給するためにターンオンされる第１０スイッチ及び第１１スイッチを備えることを特徴とする請求項１に記載のデータ駆動部。
【請求項３】
前記第２デジタル−アナログ変換部は、
前記第１０スイッチ及び第１１スイッチの間に位置し、前記２つの基準電圧を分圧するための複数の分圧抵抗と、
前記分圧抵抗のノードと前記出力端子との間に位置し、前記データの下位ビットに対応してターンオンされる第１スイッチと、
前記第１０スイッチ及び第１１スイッチのいずれか１つと前記出力端子との間に位置する第２スイッチと、
前記第２スイッチと前記出力端子との共通ノードに接続されるキャパシタと、を備えることを特徴とする請求項２に記載のデータ駆動部。
【請求項４】
前記第１１スイッチは、前記２つの基準電圧のうち第１基準電圧と接続され、前記第１０スイッチは、第１基準電圧より高い電圧値を有する第２基準電圧と接続されることを特徴とする請求項３に記載のデータ駆動部。
【請求項５】
前記第２スイッチは、前記第１１スイッチと前記出力端子との間に位置し、水平期間の第１期間の間ターンオンされ、前記出力端子の電圧値を前記第１基準電圧に上昇させ、前記水平期間中の第１期間を除く第２期間の間にターンオフされることを特徴とする請求項４に記載のデータ駆動部。
【請求項６】
前記キャパシタの第１電極は、前記共通ノードに接続され、
前記キャパシタの第２電極には、前記第１期間の間、第１電圧値を有する変動電圧が供給されることを特徴とする請求項５に記載のデータ駆動部。
【請求項７】
前記変動電圧の電圧値は、前記第２期間の間、前記第１電圧値より高い第２電圧値に設定され、前記出力端子の電圧値を上昇させることを特徴とする請求項６に記載のデータ駆動部。
【請求項８】
前記第２電圧の電圧値は、前記出力端子の電圧値が前記第１基準電圧及び第２基準電圧の間の前記中間階調電圧に変化するように設定されることを特徴とする請求項７に記載のデータ駆動部。
【請求項９】
前記第２スイッチは、前記第１０スイッチと前記出力端子との間に位置し、水平期間の第１期間の間ターンオンされ、前記出力端子の電圧値を前記第２基準電圧に上昇させ、前記水平期間中の第１期間を除く第２期間の間ターンオフされることを特徴とする請求項４に記載のデータ駆動部。
【請求項１０】
前記キャパシタの第１電極は、前記共通ノードに接続され、
前記キャパシタの第２電極には、前記第１期間の間、第２電圧値を有する変動電圧が供給されることを特徴とする請求項９に記載のデータ駆動部。
【請求項１１】
前記変動電圧の電圧値は、前記第２期間の間、前記第２電圧値より低い第１電圧値に設定され、前記出力端子の電圧値を下降させることを特徴とする請求項１０に記載のデータ駆動部。
【請求項１２】
前記第１電圧の電圧値は、前記出力端子の電圧値が前記第１基準電圧及び第２基準電圧の間の前記中間階調電圧に変化するように設定されることを特徴とする請求項１１に記載のデータ駆動部。
【請求項１３】
前記第１０スイッチと前記分圧抵抗との間に位置し、前記第１０スイッチ及び第１１スイッチの抵抗値を補償するための補償抵抗をさらに備える請求項３に記載のデータ駆動部。
【請求項１４】
前記第１１スイッチと前記分圧抵抗との間に位置し、前記第１０スイッチ及び第１１スイッチの抵抗値を補償するための補償抵抗をさらに備える請求項３に記載のデータ駆動部。
【請求項１５】
前記補償電圧の抵抗値、前記第１０スイッチのスイッチ抵抗値、および第１１スイッチのスイッチ抵抗値を合わせた抵抗値は、前記分圧抵抗のいずれか１つの抵抗と等しく設定されることを特徴とする請求項１３または請求項１４に記載のデータ駆動部。
【請求項１６】
順次サンプリング信号を供給するためのシフトレジスタ部と、
前記サンプリング信号に応答して前記データを保存するためのサンプリングラッチ部と、
前記サンプリングラッチ部に保存されたデータを保存するためのホールディングラッチ部と、
前記ホールディングラッチ部から前記データを供給され、前記データ信号を生成するためのデータ信号生成部と、を備え、
前記データ信号生成部のそれぞれのチャネルには、前記第１デジタル−アナログ変換部及び第２デジタル−アナログ変換部が備えられることを特徴とする請求項１に記載のデータ駆動部。
【請求項１７】
前記ホールディングラッチ部と前記データ信号生成部との間に位置し、前記データの電圧レベルを上昇させるためのレベルシフタ部と、
前記データ信号生成部から前記データ信号が供給されるバッファ部と、をさらに備えることを特徴とする請求項１６に記載のデータ駆動部。
【請求項１８】
走査線及びデータ線と接続される複数の画素を含む画素部と、
前記走査線を駆動するための走査駆動部と、
前記データ線を駆動するためのデータ駆動部と、を含み、
前記データ駆動部は、
データの上位ビットに対応して、外部から供給される複数の基準電圧のうち２つの基準電圧を選択するための第１デジタル−アナログ変換部と、
水平期間の第１期間の間、前記２つの基準電圧のいずれか１つの電圧をプレチャージ電圧として出力端子に供給し、前記水平期間中の第１期間を除く第２期間の初期に前記出力端子に前記２つの基準電圧の間の中間階調の電圧を供給し、前記中間階調の電圧を供給する期間を除く前記第２期間の残り期間の間、前記データの下位ビットに対応して、データ信号を供給するための第２デジタル−アナログ変換部と、を備えることを特徴とする有機発光表示装置。
【請求項１９】
前記第２デジタル−アナログ変換部は、
前記２つの基準電圧を分圧するための分圧抵抗と、
前記分圧抵抗で分圧された電圧値のいずれか１つの電圧を前記データの下位ビットに対応して供給するための第１スイッチと、
前記分圧抵抗を経ずに前記２つの基準電圧のいずれか１つの電圧を前記出力端子に供給するための第２スイッチと、
第１電極が前記第２スイッチと前記出力端子との共通ノードに接続され、第２電極が変動電圧を供給する変動電圧部に接続されるキャパシタとを備えることを特徴とする請求項１８に記載の有機発光表示装置。
【請求項２０】
前記第２スイッチは、前記第１期間の間ターンオンされ、第２期間の間ターンオフされることを特徴とする請求項１９に記載の有機発光表示装置。
【請求項２１】
前記変動電圧の電圧値は、前記第１期間と第２期間とで異なるように設定されることを特徴とする請求項１９に記載の有機発光表示装置。
【請求項２２】
前記変動電圧の電圧値は、前記第１期間の間、前記出力端子に供給された前記２つの基準電圧のいずれか１つの電圧の電圧値が、前記第２期間の間、前記中間階調の電圧値に変更されるように設定されることを特徴とする請求項２１に記載の有機発光表示装置。
【請求項２３】
前記データ駆動部は、
順次サンプリング信号を供給するためのシフトレジスタ部と、
前記サンプリング信号に応答して前記データを保存するためのサンプリングラッチ部と、
前記サンプリングラッチ部に保存されたデータを保存するためのホールディングラッチ部と、
前記ホールディングラッチ部から前記データを供給され、前記データ信号を生成するためのデータ信号生成部と、を備え、
前記データ信号生成部のそれぞれのチャネルには、前記第１デジタル−アナログ変換部及び第２デジタル−アナログ変換部が備えられることを特徴とする請求項１８に記載の有機発光表示装置。
【請求項２４】
前記ホールディングラッチ部と前記データ信号生成部との間に位置し、前記データの電圧レベルを上昇させるためのレベルシフタ部と、
前記データ信号生成部から前記データ信号が供給されるバッファ部と、をさらに備えることを特徴とする請求項２３に記載の有機発光表示装置。
【請求項２５】
データの上位ビットに対応して、外部から供給される複数の基準電圧のうち２つの基準電圧を選択する第１段階と、
前記２つの基準電圧を複数の電圧に分圧する第２段階と、
水平期間の第１期間の間、前記２つの基準電圧のいずれか１つの基準電圧を出力端子に供給する第３段階と、
前記水平期間の第２期間の初期に前記出力端子に前記２つの基準電圧の間の中間階調の電圧を供給する第４段階と、
前記第２期間の残り期間の間、前記データの下位ビットに対応して、前記分圧された電圧及び前記２つの基準電圧のいずれか１つの電圧をデータ信号として前記出力端子に供給する第５段階と、を含むことを特徴とする有機発光表示装置の駆動方法。
【請求項２６】
前記第３段階で供給される前記いずれか１つの基準電圧は、前記分圧抵抗を経ずに前記データ線に供給されることを特徴とする請求項２５に記載の有機発光表示装置の駆動方法。
【請求項２７】
前記第４段階では、前記出力端子と接続されたキャパシタに供給される変動電圧を用いて前記出力端子の電圧を前記中間階調の電圧に変更させることを特徴とする請求項２５に記載の有機発光表示装置の駆動方法。
【請求項２８】
前記第３段階で前記２つの基準電圧のうち高い基準電圧が供給される場合、前記出力端子の電圧が前記中間階調の電圧に下降できるように、前記変動電圧の電圧値を設定することを特徴とする請求項２７に記載の有機発光表示装置の駆動方法。
【請求項２９】
前記第３段階で前記２つの基準電圧のうち低い基準電圧が供給される場合、前記出力端子の電圧が前記中間階調の電圧に上昇できるように、前記変動電圧の電圧値を設定することを特徴とする請求項２７に記載の有機発光表示装置の駆動方法。
【発明の詳細な説明】
【技術分野】
【０００１】
本発明は、データ駆動部及びこれを用いた有機発光表示装置とその駆動方法に関し、特に、駆動速度を向上できるようにしたデータ駆動部及びこれを用いた有機発光表示装置とその駆動方法に関する。
【背景技術】
【０００２】
最近、陰極線管（Ｃａｔｈｏｄｅ  Ｒａｙ  Ｔｕｂｅ）の短所である重量と体積を減らすことができる各種の平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機発光表示装置（Ｏｒｇａｎｉｃ  Ｌｉｇｈｔ  Ｅｍｉｔｔｉｎｇ  Ｄｉｓｐｌａｙ）などがある。
【０００３】
平板表示装置のうち、有機発光表示装置は、電子と正孔との再結合により光を発生する有機発光ダイオードを用いて映像を表示する。このような有機発光表示装置は、速い応答速度を有するとともに低消費電力で駆動されるという長所がある。一般的な有機発光表示装置は、画素毎に形成される駆動薄膜トランジスタを用いてデータ信号に対応する電流を有機発光ダイオードに供給することにより、有機発光ダイオードで光を発光させる。
【０００４】
このような有機発光表示装置は、外部から供給されるデータを用いてデータ信号を生成し、生成されたデータ信号を画素に供給することにより、所望の輝度の映像を表示する。ここで、外部から供給されるデータをデータ信号に変換するためのデータ駆動部が用いられる。
【０００５】
データ駆動部には、外部のデータをデータ信号に変換するためにデータ信号生成部が含まれる。データ信号生成部には、それぞれのチャネル毎に位置し、データをデータ信号に変換するためのデジタル−アナログ変換部（Ｄｉｇｉｔａｌ−Ａｎａｌｏｇ  Ｃｏｎｖｅｒｔｅｒ：以下、「ＤＡＣ」という）が含まれる。ここで、ＤＡＣは、データの上位ビットに対応して電圧を生成する第１ＤＡＣと、データの下位ビットに対応して電圧を生成する第２ＤＡＣとに分けられる。
【０００６】
図１は、従来の第２ＤＡＣを示す図である。
【０００７】
図１を参照すると、従来の第２ＤＡＣ２は、第１ＤＡＣから第１基準電圧ｒｅｆ１及び第２基準電圧ｒｅｆ２が供給される。実際、第１ＤＡＣは、外部から多数の基準電圧が供給され、データの上位ビットに対応して、多数の基準電圧のうち第１基準電圧ｒｅｆ１及び第２基準電圧ｒｅｆ２を選択して第２ＤＡＣ２に供給する。つまり、第１ＤＡＣに含まれた第１０スイッチＳＷ１０及び第１１スイッチＳＷ１１は、データの上位ビットに対応してターンオンされる。以後、説明の便宜上、第１基準電圧ｒｅｆ１の電圧値が第２基準電圧ｒｅｆ２の電圧値より低く設定されると仮定する。
【０００８】
第２ＤＡＣ２は、第１基準電圧ｒｅｆ１と第２基準電圧ｒｅｆ２の電圧値を分圧するための複数の分圧抵抗Ｒ１ないしＲ７と、分圧抵抗Ｒ１ないしＲ７から分圧された電圧を出力端子ｏｕｔに供給するための複数のスイッチＳＷ１ないしＳＷ８とを備える。
【０００９】
そして、第２ＤＡＣ２は、第１１スイッチＳＷ１１と第７抵抗Ｒ７との間に位置する第１０抵抗Ｒ１０を備える。第１０抵抗Ｒ１０は、分圧抵抗Ｒ１ないしＲ７で均等に分割された電圧が生成できるように、第１０スイッチＳＷ１０及び第１１スイッチＳＷ１１のスイッチ抵抗を補償する。このために、第１０抵抗Ｒ１０の抵抗値は、第１０スイッチＳＷ１０のスイッチ抵抗値（ターンオン抵抗）と、第１１スイッチＳＷ１１のスイッチ抵抗値と合わせられ、略第７抵抗Ｒ７の抵抗値と等しくなるように設定される。
【００１０】
分圧抵抗Ｒ１ないしＲ７は、第１基準電圧ｒｅｆ１と第２基準電圧ｒｅｆ２との間に直列に設けられ、第１基準電圧ｒｅｆ１と第２基準電圧ｒｅｆ２との電圧値を分圧する。このために、分圧抵抗Ｒ１ないしＲ７それぞれの抵抗値は、等しく設定される。そして、図１では、データの下位ビットを３ビットと仮定して７つの分圧抵抗Ｒ１ないしＲ７を示しているが、分圧抵抗Ｒ１ないしＲ７の数は、データの下位ビットのビット数に対応して多様に設定される。
【００１１】
スイッチＳＷ１ないしＳＷ８は、分圧抵抗Ｒ１ないしＲ７のそれぞれのノード毎に設けられ、分圧抵抗Ｒ１ないしＲ７で分圧された電圧を出力端子ｏｕｔに供給する。
【００１２】
第１スイッチＳＷ１は、第１ノードＮ１と出力端子ｏｕｔとの間に設けられ、第２基準電圧ｒｅｆ２を出力端子ｏｕｔに供給する。第２スイッチＳＷ２は、第２ノードＮ２と出力端子ｏｕｔとの間に設けられ、第２ノードＮ２の電圧値を出力端子ｏｕｔに供給する。第３スイッチＳＷ３は、第３ノードＮ３と出力端子ｏｕｔとの間に設けられ、第３ノードＮ３の電圧値を出力端子ｏｕｔに供給する。第４スイッチＳＷ４は、第４ノードＮ４と出力端子ｏｕｔとの間に設けられ、第４ノードＮ４の電圧値を出力端子ｏｕｔに供給する。第５スイッチＳＷ５は、第５ノードＮ５と出力端子ｏｕｔとの間に設けられ、第５ノードＮ５の電圧値を出力端子ｏｕｔに供給する。第６スイッチＳＷ６は、第６ノードＮ６と出力端子ｏｕｔとの間に設けられ、第６ノードＮ６の電圧値を出力端子ｏｕｔに供給する。第７スイッチＳＷ７は、第７ノードＮ７と出力端子ｏｕｔとの間に設けられ、第７ノードＮ７の電圧値を出力端子ｏｕｔに供給する。第８スイッチＳＷ８は、第８ノードＮ８と出力端子ｏｕｔとの間に設けられ、第１基準電圧ｒｅｆ１を出力端子ｏｕｔに供給する。
【００１３】
ここで、スイッチＳＷ１ないしＳＷ８のターンオンの有無は、データの下位ビットにより決定される。つまり、スイッチＳＷ１ないしＳＷ８のいずれか１つがデータの下位ビットに対応してターンオンされることにより、所定の電圧値が出力端子ｏｕｔに供給される。そして、出力端子ｏｕｔに供給された電圧値は、データ信号として画素に供給される。
【００１４】
しかし、このような従来の有機発光表示装置は、データ信号が少なくとも１つの分圧抵抗Ｒ１ないしＲ７を経て生成されるため、駆動速度が低下するという問題が発生する。つまり、データ信号が分圧抵抗Ｒ１ないしＲ７を経て画素に供給されると、画素でデータ信号に対応する電圧を充電するために多くの時間が費やされ、これにより、駆動速度が低下する。また、画素では１水平期間内にデータ信号に対応する電圧を充電しなければならないが、従来のように分圧抵抗Ｒ１ないしＲ７を経てデータ信号を供給する場合、十分な電圧が充電されない恐れがある。
【特許文献１】大韓民国特許出願公開第１０−２００３−００６８４８０号明細書
【特許文献２】特開２００４−１８４５７０号公報
【発明の開示】
【発明が解決しようとする課題】
【００１５】
したがって、本発明の目的は、駆動速度を向上できるようにしたデータ駆動部及びこれを用いた有機発光表示装置とその駆動方法を提供することである。
【課題を解決するための手段】
【００１６】
前記目的を達成するために、本発明の第１側面は、データの上位ビットに対応して、外部から供給される複数の基準電圧のうち２つの基準電圧を選択するための第１デジタル−アナログ変換部と、前記２つの基準電圧を複数の電圧に分圧し、前記データの下位ビットに対応して、前記２つの基準電圧及び前記分圧された電圧のいずれか１つの電圧をデータ信号として出力端子に供給するための第２デジタル−アナログ変換部と、を備え、前記第２デジタル−アナログ変換部は、前記データ信号を前記出力端子に供給する前に、前記２つの基準電圧の間の中間階調電圧を前記出力端子に供給することを特徴とするデータ駆動部を提供する。
【００１７】
好ましくは、前記第１デジタル−アナログ変換部は、前記複数の基準電圧のうち前記２つの基準電圧を供給するためにターンオンされる第１０スイッチ及び第１１スイッチを備える。前記第２デジタル−アナログ変換部は、前記第１０スイッチ及び第１１スイッチの間に位置し、前記２つの基準電圧を分圧するための複数の分圧抵抗と、前記分圧抵抗のノードと前記出力端子との間に位置し、前記データの下位ビットに対応してターンオンされる第１スイッチと、前記第１０スイッチ及び第１１スイッチのいずれか１つと前記出力端子との間に位置する第２スイッチと、前記第２スイッチと前記出力端子との共通ノードに接続されるキャパシタとを備える。前記第１１スイッチは、前記２つの基準電圧のうち第１基準電圧と接続され、前記第１０スイッチは、第１基準電圧より高い電圧値を有する第２基準電圧と接続される。前記第２スイッチは、前記第１１スイッチと前記出力端子との間に位置し、水平期間の第１期間の間ターンオンされ、前記出力端子の電圧値を前記第１基準電圧に上昇させ、前記水平期間中の第１期間を除く第２期間の間にターンオフされる。前記キャパシタの第１電極は、前記共通ノードに接続され、前記キャパシタの第２電極には、前記第１期間の間、第１電圧値を有する変動電圧が供給される。前記変動電圧の電圧値は、前記第２期間の間、前記第１電圧値より高い第２電圧値に設定され、前記出力端子の電圧値を上昇させる。
【００１８】
本発明の第２側面は、走査線及びデータ線と接続される複数の画素を含む画素部と、前記走査線を駆動するための走査駆動部と、前記データ線を駆動するためのデータ駆動部と、を含み、前記データ駆動部は、データの上位ビットに対応して、外部から供給される複数の基準電圧のうち２つの基準電圧を選択するための第１デジタル−アナログ変換部と、水平期間の第１期間の間、前記２つの基準電圧のいずれか１つの電圧をプレチャージ電圧として出力端子に供給し、前記水平期間中の第１期間を除く第２期間の初期に前記出力端子に前記２つの基準電圧の間の中間階調の電圧を供給し、前記中間階調の電圧を供給する期間を除く前記第２期間の残り期間の間、前記データの下位ビットに対応して、データ信号を供給するための第２デジタル−アナログ変換部と、を備えることを特徴とする有機発光表示装置を提供する。
【００１９】
好ましくは、前記第２デジタル−アナログ変換部は、前記２つの基準電圧を分圧するための分圧抵抗と、前記分圧抵抗で分圧された電圧値のいずれか１つの電圧を前記データの下位ビットに対応して供給するための第１スイッチと、前記分圧抵抗を経ずに前記２つの基準電圧のいずれか１つの電圧を前記出力端子に供給するための第２スイッチと、第１電極が前記第２スイッチと前記出力端子との共通ノードに接続され、第２電極が変動電圧を供給する変動電圧部に接続されるキャパシタとを備える。前記第２スイッチは、前記第１期間の間ターンオンされ、第２期間の間ターンオフされる。前記変動電圧の電圧値は、前記第１期間と第２期間とで異なるように設定される。前記変動電圧の電圧値は、前記第１期間の間、前記出力端子に供給された前記２つの基準電圧のいずれか１つの電圧の電圧値が、前記第２期間の間、前記中間階調の電圧値に変更されるように設定される。
【００２０】
本発明の第３側面は、データの上位ビットに対応して、外部から供給される複数の基準電圧のうち２つの基準電圧を選択する第１段階と、前記２つの基準電圧を複数の電圧に分圧する第２段階と、水平期間の第１期間の間、前記２つの基準電圧のいずれか１つの基準電圧を出力端子に供給する第３段階と、前記水平期間の第２期間の初期に前記出力端子に前記２つの基準電圧の間の中間階調の電圧を供給する第４段階と、前記第２期間の残り期間の間、前記データの下位ビットに対応して、前記分圧された電圧及び前記２つの基準電圧のいずれか１つの電圧をデータ信号として前記出力端子に供給する第５段階と、を含むことを特徴とする有機発光表示装置の駆動方法を提供する。
【００２１】
好ましくは、前記第３段階で供給される前記いずれか１つの基準電圧は、前記分圧抵抗を経ずに前記データ線に供給される。前記第４段階では、前記出力端子と接続されたキャパシタに供給される変動電圧を用いて前記出力端子の電圧を前記中間階調の電圧に変更させる。前記第３段階で前記２つの基準電圧のうち高い基準電圧が供給される場合、前記出力端子の電圧が前記中間階調の電圧に下降できるように、前記変動電圧の電圧値を設定する。
【発明の効果】
【００２２】
上述のように、本発明の実施形態によるデータ駆動部及びこれを用いた有機発光表示装置とその駆動方法によると、第２ＤＡＣに供給される２つの階調電圧のいずれか１つの階調電圧と出力端子との間に位置するスイッチを備える。ここで、スイッチを用いて２つの階調電圧のいずれか１つの階調電圧を画素に供給することにより、画素の充電速度を向上させることができる。また、本発明では、スイッチと接続されたキャパシタを用いて出力端子の電圧を中間階調の電圧に上昇させることにより、階調表現能力を向上させることができる。
【発明を実施するための最良の形態】
【００２３】
以下、本発明の属する技術分野における通常の知識を有する者が本発明を容易に実施することができる好ましい実施形態を、添付された図２ないし図１３を参照して詳細に説明する。
【００２４】
図２は、本発明の実施形態による発光表示装置を示す図である。
【００２５】
図２を参照すると、本発明の実施形態による発光表示装置は、走査線Ｓ１ないしＳｎ及びデータ線Ｄ１ないしＤｍの交差領域に形成された画素２４０を含む画素部２３０と、走査線Ｓ１ないしＳｎを駆動するための走査駆動部２１０と、データ線Ｄ１ないしＤｍを駆動するためのデータ駆動部２２０と、走査駆動部２１０及びデータ駆動部２２０を制御するためのタイミング制御部２５０とを備える。
【００２６】
走査駆動部２１０は、タイミング制御部２５０からの走査駆動制御信号ＳＣＳに応答して走査信号を生成し、生成された走査信号を走査線Ｓ１ないしＳｎに順次供給する。また、走査駆動部２１０は、走査駆動制御信号ＳＣＳに応答して発光制御信号を生成し、生成された発光制御信号を発光制御線Ｅ１ないしＥｎに順次供給する。
【００２７】
データ駆動部２２０は、タイミング制御部２５０からのデータ駆動制御信号ＤＣＳに応答してデータ信号を生成し、生成されたデータ信号をデータ線Ｄ１ないしＤｍに供給する。このために、データ駆動部２２０は、少なくとも１つのデータ駆動回路２２２を備える。データ駆動回路２２２は、外部から供給されるデータＤａｔａをデータ信号に変換してデータ線Ｄ１ないしＤｍに供給する。データ駆動回路２２２の詳細な構成は後述する。
【００２８】
タイミング制御部２５０は、外部から供給される同期信号に対応して、データ駆動制御信号ＤＣＳ及び走査駆動制御信号ＳＣＳを生成する。タイミング制御部２５０で生成されたデータ駆動制御信号ＤＣＳは、データ駆動部２２０に供給され、走査駆動制御信号ＳＣＳは、走査駆動部２１０に供給される。そして、タイミング制御部２５０は、外部から供給されるデータＤａｔａを再整列してデータ駆動部２２０に供給する。
【００２９】
画素部２３０は、外部から第１電源ＥＬＶＤＤ及び第２電源ＥＬＶＳＳが供給される。画素部２３０に供給された第１電源ＥＬＶＤＤ及び第２電源ＥＬＶＳＳは、それぞれの画素２４０に供給される。第１電源ＥＬＶＤＤ及び第２電源ＥＬＶＳＳが供給された画素２４０は、データ駆動回路２２２から供給されるデータ信号に対応する画像を表示する。
【００３０】
図３は、図２に示されたデータ駆動回路を詳細に示すブロック図である。図３では、説明の便宜上、データ駆動回路２２２がｉ（ｉは自然数）個のチャネルを有すると仮定する。
【００３１】
図３を参照すると、本発明の実施形態によるデータ駆動回路２２２は、サンプリング信号を順次供給するためのシフトレジスタ部２２３と、サンプリング信号に応答してデータＤａｔａを順次保存するためのサンプリングラッチ部２２４と、サンプリングラッチ部２２４に保存されたデータＤａｔａを一時保存するとともに、保存されたデータＤａｔａをレベルシフタ部２２６に供給するためのホールディングラッチ部２２５と、データＤａｔａの電圧レベルを上昇させるためのレベルシフタ部２２６と、データＤａｔａのビット値に対応するデータ信号を生成するためのデータ信号生成部２２７と、データ信号をデータ線Ｄ１ないしＤｉに供給するためのバッファ部２２８とを備える。
【００３２】
シフトレジスタ部２２３は、タイミング制御部２５０からソースシフトクロックＳＳＣ及びソーススタートパルスＳＳＰが供給される。ソースシフトクロックＳＳＣ及びソーススタートパルスＳＳＰが供給されたシフトレジスタ部２２３は、ソースシフトクロックＳＳＣに対応して、ソーススタートパルスＳＳＰをシフトさせながら順次ｉ個のサンプリング信号を生成する。このために、シフトレジスタ部２２３は、ｉ個のシフトレジスタ２２３１ないし２２３ｉを備える。
【００３３】
サンプリングラッチ部２２４は、シフトレジスタ部２２３から順次供給されるサンプリング信号に対応して、データＤａｔａを順次保存する。このために、サンプリングラッチ部２２４は、ｉ個のデータＤａｔａを保存するためのｉ個のサンプリングラッチ２２４１ないし２２４ｉを備える。ここで、サンプリングラッチ２２４１ないし２２４ｉそれぞれの容量の大きさは、ｋビットのデータＤａｔａを保存できるように設定される。以後、説明の便宜上、ｋビットを６ビットと仮定する。
【００３４】
ホールディングラッチ部２２５は、タイミング制御部２５０から供給されるソース出力イネーブルＳＯＥ信号に応答してサンプリングラッチ部２２４からデータＤａｔａが入力されて保存し、保存されたデータＤａｔａをレベルシフタ部２２６に供給する。このために、ホールディングラッチ部２２５は、ｉ個のホールディングラッチ２２５１ないし２２５ｉを備える。そして、ホールディングラッチ２２５１ないし２２５ｉそれぞれは、データを保存できるように、ｋビットで構成される。
【００３５】
レベルシフタ部２２６は、ホールディングラッチ部２２５から供給されるデータＤａｔａの電圧レベルを上昇させてデータ信号生成部２２７に供給する。外部からデータ駆動部２２０に高い電圧を有するデータＤａｔａを供給するためには、高い電圧レベルに対応する回路部品が設けられなければならないため、製造コストが増加する。したがって、データ駆動部２２０の外部からは低い電圧レベルを有するデータＤａｔａを供給し、この低い電圧レベルを有するデータＤａｔａをレベルシフタ部２２６で高い電圧レベルに昇圧する。一方、レベルシフタ部２２６は、必要に応じて除去されることができる。この場合、ホールディングラッチ部２２５は、データ信号生成部２２７と直接接続される。
【００３６】
データ信号生成部２２７は、データＤａｔａのビット値（または階調値）に対応するデータ信号を生成し、生成されたデータ信号をバッファ部２２８に供給する。実際、データ信号生成部２２７は、ガンマ電圧部２２９から基準電圧ｒｅｆｓを供給され、供給された基準電圧ｒｅｆｓを用いてデータ信号を生成する。このようなデータ信号生成部２２７の詳細な構造は後述する。
【００３７】
ガンマ電圧部２２９は、複数の基準電圧ｒｅｆｓをデータ信号生成部２２７に供給する。このようなガンマ電圧部２２９は、データ駆動回路２２２の内部または外部に設けられる。
【００３８】
バッファ部２２８は、データ信号生成部２２７から供給されるデータ信号をデータ線Ｄ１ないしＤｉに供給する。
【００３９】
図４は、図３に示されたデータ信号生成部を示す図である。
【００４０】
図４を参照すると、本発明の実施形態によるデータ信号生成部２２７は、それぞれのチャネル毎に設けられる第１ＤＡＣ３００及び第２ＤＡＣ３０２を備える。以後、説明の便宜上、ガンマ電圧部２２９から９つの基準電圧ｒｅｆｓが供給されると仮定する。
【００４１】
第１ＤＡＣ３００は、レベルシフタ部２２６またはホールディングラッチ部２２５から供給されるデータの上位ビットに対応して、ガンマ電圧部２２９から供給される基準電圧ｒｅｆｓのうち第１基準電圧ｒｅｆ１及び第２基準電圧ｒｅｆ２を選択する。そして、第１ＤＡＣ３００は、第１基準電圧ｒｅｆ１及び第２基準電圧ｒｅｆ２を第２ＤＡＣ３０２に供給する。つまり、第１ＤＡＣ３００は、データＤａｔａの上位３ビットのビット値に対応して、９つの基準電圧ｒｅｆｓのうち２つの基準電圧を抽出し、抽出された２つの基準電圧を第１基準電圧ｒｅｆ１及び第２基準電圧ｒｅｆ２として第２ＤＡＣ３０２に供給する。以後、説明の便宜上、第１基準電圧ｒｅｆ１の電圧値が第２基準電圧ｒｅｆ２の電圧値より低く設定されると仮定する。
【００４２】
第２ＤＡＣ３０２は、第１基準電圧ｒｅｆ１及び第２基準電圧ｒｅｆ２を複数の電圧に分圧する。そして、第２ＤＡＣ３０２は、データの下位３ビットに対応して、第１基準電圧ｒｅｆ１、第２基準電圧ｒｅｆ２及び分圧された電圧のいずれか１つの電圧をデータ信号として出力端子ｏｕｔに供給する。
【００４３】
図５は、本発明の第１実施形態による第２ＤＡＣを示す図である。図５では、第１ＤＡＣ３００に含まれ、第１基準電圧ｒｅｆ１及び第２基準電圧ｒｅｆ２を第２ＤＡＣ３０２に供給するためにターンオンされる第１０スイッチＳＷ１０及び第１１スイッチＳＷ１１がさらに示される。
【００４４】
図５を参照すると、本発明の第１実施形態による第２ＤＡＣ３０２は、第１基準電圧ｒｅｆ１と第２基準電圧ｒｅｆ２とを分圧するための複数の分圧抵抗Ｒ１ないしＲ７と、分圧抵抗Ｒ１ないしＲ７から分圧された電圧を出力端子ｏｕｔに供給するための複数のスイッチＳＷ１ないしＳＷ８とを備える。
【００４５】
そして、第２ＤＡＣ３０２は、第１１スイッチＳＷ１１と第７抵抗Ｒ７との間に位置する第１０抵抗Ｒ１０を備える。第１０抵抗Ｒ１０は、分圧抵抗Ｒ１ないしＲ７で均等に分割された電圧が生成できるように、第１０スイッチＳＷ１０及び第１１スイッチＳＷ１１のスイッチ抵抗を補償する。このために、第１０抵抗Ｒ１０の抵抗値は、第１０スイッチＳＷ１０のスイッチ抵抗値と第１１スイッチＳＷ１１のスイッチ抵抗値と合わせられ、略第７抵抗Ｒ７の抵抗値と等しくなるように設定される。
【００４６】
分圧抵抗Ｒ１ないしＲ７は、第１基準電圧ｒｅｆ１と第２基準電圧ｒｅｆ２との間に直列に設けられ、第１基準電圧ｒｅｆ１と第２基準電圧ｒｅｆ２との電圧値を分圧する。このために、分圧抵抗Ｒ１ないしＲ７それぞれの抵抗値は、等しく設定される。ここで、データＤａｔａの下位ビットを３ビットと仮定して７つの分圧抵抗Ｒ１ないしＲ７を示しているが、本発明はこれに限定されない。
【００４７】
スイッチＳＷ１ないしＳＷ８は、分圧抵抗Ｒ１ないしＲ７のそれぞれのノード毎に設けられ、分圧抵抗Ｒ１ないしＲ７で分圧された電圧を出力端子ｏｕｔに供給する。
【００４８】
第１スイッチＳＷ１は、第１ノードＮ１と出力端子ｏｕｔとの間に設けられ、第２基準電圧ｒｅｆ２を出力端子ｏｕｔに供給する。第２スイッチＳＷ２は、第２ノードＮ２と出力端子ｏｕｔとの間に設けられ、第２ノードＮ２の電圧値を出力端子ｏｕｔに供給する。第３スイッチＳＷ３は、第３ノードＮ３と出力端子ｏｕｔとの間に設けられ、第３ノードＮ３の電圧値を出力端子ｏｕｔに供給する。第４スイッチＳＷ４は、第４ノードＮ４と出力端子ｏｕｔとの間に設けられ、第４ノードＮ４の電圧値を出力端子ｏｕｔに供給する。第５スイッチＳＷ５は、第５ノードＮ５と出力端子ｏｕｔとの間に設けられ、第５ノードＮ５の電圧値を出力端子ｏｕｔに供給する。第６スイッチＳＷ６は、第６ノードＮ６と出力端子ｏｕｔとの間に設けられ、第６ノードＮ６の電圧値を出力端子ｏｕｔに供給する。第７スイッチＳＷ７は、第７ノードＮ７と出力端子ｏｕｔとの間に設けられ、第７ノードＮ７の電圧値を出力端子ｏｕｔに供給する。第８スイッチＳＷ８は、第８ノードＮ８と出力端子ｏｕｔとの間に設けられ、第１基準電圧ｒｅｆ１を出力端子ｏｕｔに供給する。
【００４９】
ここで、スイッチＳＷ１ないしＳＷ８のターンオンの有無は、データの下位３ビットにより決定される。つまり、スイッチＳＷ１ないしＳＷ８のいずれか１つがデータの下位ビットに対応してターンオンされることにより、所定の電圧値を出力端子ｏｕｔに供給する。そして、出力端子ｏｕｔに供給された電圧値は、データ信号としてバッファ部２２８を経て画素２４０に供給される。
【００５０】
一方、本発明の第２ＤＡＣ３０２は、第１１スイッチＳＷ１１と出力端子ｏｕｔとの間に位置する第９スイッチＳＷ９を備える。第９スイッチＳＷ９は、出力端子ｏｕｔにデータ信号が供給される前にターンオンされ、画素２４０を第１基準電圧ｒｅｆ１の電圧値で先に充電させる。ここで、第９スイッチＳＷ９を経て供給される第１基準電圧ｒｅｆ１は、抵抗Ｒ１ないしＲ７、Ｒ１０を経ずに画素２４０に供給されるため、画素２４０の充電時間を短縮することができる。
【００５１】
図６は、図５に示された第２ＤＡＣの動作過程を示す波形図である。
【００５２】
図５及び図６を結びつけて第２ＤＡＣの動作過程を詳細に説明する。まず、水平期間１Ｈの第１期間Ｔ１の間、第９スイッチＳＷ９がターンオンされる。第９スイッチＳＷ９がターンオンされると、第１基準電圧ｒｅｆ１が出力端子ｏｕｔ及びバッファ部２２８を経て画素２４０に供給される。すると、図７に示されるように、画素２４０には、第１期間Ｔ１の間、速い充電速度で電圧を充電させる。実際、第１期間Ｔ１の間供給される第１基準電圧ｒｅｆ１は、第２ＤＡＣ３０２に含まれた抵抗Ｒ１ないしＲ７、Ｒ１０を経ずに画素２４０に供給され、これにより、画素２４０の充電速度が向上する。
【００５３】
そして、第２期間Ｔ２の間、第９スイッチＳＷ９がターンオフされ、第１スイッチＳＷ１ないし第８スイッチＳＷ８のいずれか１つがターンオンされる。すると、ターンオンされたスイッチＳＷ１ないしＳＷ８のいずれか１つを経てデータ信号として所定の電圧が画素２４０に供給される。この時、第１期間Ｔ１の間、画素２４０に第１基準電圧ｒｅｆ１の電圧が充電されたため、第２期間Ｔ２の間、データ信号に対応する電圧が充電されることができる。つまり、第２期間Ｔ２の間、画素２４０に供給されるデータ信号は、少なくとも１つの分圧抵抗Ｒ１ないしＲ７を経て供給されるため、第１期間Ｔ１に供給された第１基準電圧ｒｅｆ１に比べて画素２４０の充電速度が低下するが、第１期間Ｔ１の間、画素２４０に充電された電圧により、画素２４０には、データ信号に対応する電圧が充電されることができる。
【００５４】
しかし、このような本発明の第１実施形態によるＤＡＣでは、第１基準電圧ｒｅｆ１と第２基準電圧ｒｅｆ２との間の中間階調の表現が難しいという問題がある。つまり、第１基準電圧ｒｅｆ１及び第２基準電圧ｒｅｆ２との間の中間階調を表現する時の抵抗値が最も大きいため、画素２４０に十分な電圧が充電されない恐れがある。実際、分圧抵抗Ｒ１ないしＲ７を用いてデータ信号を生成する時、分圧抵抗Ｒ１ないしＲ７の中間部分で生成されるデータ信号の階調表現力が低下する。
【００５５】
図８は、本発明の第２実施形態による第２ＤＡＣを示す図である。図８において、図５と同様の部分については、同じ図面符号を割り当てるとともに詳細な説明を省略する。
【００５６】
図８を参照すると、本発明の第２実施形態による第２ＤＡＣ３０２は、第９スイッチＳＷ９と出力端子ｏｕｔとの共通ノードである第１０ノードＮ１０に接続されるキャパシタＣを備える。キャパシタＣの第１電極は、第１０ノードＮ１０に接続され、第２電極は、変動電圧部（図示せず）から変動電圧ＶＶが供給される。このようなキャパシタＣは、第９スイッチＳＷ９がターンオンされ、出力端子ｏｕｔに第１基準電圧ｒｅｆ１が供給された後、出力端子ｏｕｔの電圧値を第１基準電圧ｒｅｆ１と第２基準電圧ｒｅｆ２との中間電圧値に変動させる。つまり、キャパシタＣは、出力端子ｏｕｔの電圧値を第１基準電圧ｒｅｆ１と第２基準電圧ｒｅｆ２との間の中間階調の電圧値に変動し、画素２４０に中間階調の電圧値が充電されやすくする。
【００５７】
図９は、図８に示された第２ＤＡＣの動作過程を示す波形図である。
【００５８】
図８及び図９を結びつけて第２ＤＡＣ３０２の動作過程を詳細に説明する。まず、水平期間１Ｈの第１期間Ｔ１０の間、第９スイッチＳＷ９がターンオンされる。第９スイッチＳＷ９がターンオンされると、第１基準電圧ｒｅｆ１が出力端子ｏｕｔ及びバッファ部２２８を経て画素２４０に供給される。すると、図１０に示されるように、画素２４０では、第１期間Ｔ１０の間、速い速度で電圧を充電する。実際、第１期間Ｔ１０の間供給される第１基準電圧ｒｅｆ１は、第２ＤＡＣ３０２に含まれた抵抗Ｒ１ないしＲ７、Ｒ１０を経ずに画素２４０に供給され、これにより、画素２４０の充電速度が向上する。一方、第１期間Ｔ１０の間、キャパシタＣの第２電極には、第１電圧Ｖ１の値を有する変動電圧ＶＶが供給される。
【００５９】
そして、第２期間Ｔ１１の間、第９スイッチＳＷ９がターンオフされ、キャパシタＣの第２電極に第２電圧Ｖ２の値を有する変動電圧ＶＶが供給される。ここで、第２電圧Ｖ２の電圧値は、第１電圧Ｖ１の電圧値より高く設定される。実際、第２電圧Ｖ２の電圧値は、出力端子ｏｕｔの電圧が第１基準電圧ｒｅｆ１の電圧値で中間階調の電圧に上昇できるように設定される。例えば、第２電圧Ｖ２の電圧値は、出力端子ｏｕｔの電圧値が第１基準電圧ｒｅｆ１で第４ノードＮ４または第５ノードＮ５の電圧値に上昇するように設定される。
【００６０】
このようにキャパシタＣにより出力端子ｏｕｔの電圧が中間階調の電圧に上昇すると、画素２４０には、中間階調の電圧値が充電される。すなわち、本発明では、キャパシタＣを用いて出力端子ｏｕｔの電圧値を中間階調の電圧に変更させることにより、中間階調の表現能力を向上させることができる。
【００６１】
一方、出力端子ｏｕｔの電圧が中間階調の電圧に上昇した後、第１スイッチＳＷ１ないし第８スイッチＳＷ８のいずれか１つがターンオンされる。すると、ターンオンされたスイッチＳＷ１ないしＳＷ８のいずれか１つを経てデータ信号として所定の電圧が画素２４０に供給される。
【００６２】
ここで、データ信号として中間階調の電圧が選択されると、画素２４０には、中間階調に対応する電圧が安定的に充電されることができる。また、データ信号として第２ノードＮ２または第７ノードＮ７の電圧が選択されても、画素２４０には、安定的に所望の電圧が充電されることができる。つまり、第２ノードＮ２または第７ノードＮ７の電圧値は、出力端子ｏｕｔとの間に位置する１つの抵抗Ｒ１またはＲ７を経て供給されるため、画素２４０で速い時間内に充電されることができる。
【００６３】
図１１は、本発明の第３実施形態による第２ＤＡＣを示す図である。図１１において、図８と同様の部分については、同じ図面符号を割り当てるとともに詳細な説明を省略する。
【００６４】
図１１を参照すると、本発明の第３実施形態による第２ＤＡＣ３０２における第９スイッチＳＷ９は、出力端子ｏｕｔと第１０スイッチＳＷ１０との間に設けられる。したがって、第９スイッチＳＷ９がターンオンされると、出力端子ｏｕｔに第２基準電圧ｒｅｆ２が供給される。そして、第１０抵抗Ｒ１０は、第１０スイッチＳＷ１０と第１分圧抵抗Ｒ１との間に設けられる。実際、第１０抵抗Ｒ１０は、第１０スイッチＳＷ１０及び第１１スイッチＳＷ１１のスイッチ抵抗を補償するために使用されるもので、第１０スイッチＳＷ１０または第１１スイッチＳＷ１１のいずれか１つと接続されるように形成されるとよい。
【００６５】
図１２は、図１１に示された第２ＤＡＣの動作過程を示す波形図である。
【００６６】
図１１及び図１２を結びつけて第２ＤＡＣ３０２の動作過程を詳細に説明する。まず、水平期間１Ｈの第１期間Ｔ２０の間、第９スイッチＳＷ９がターンオンされる。第９スイッチＳＷ９がターンオンされると、第２基準電圧ｒｅｆ２が出力端子ｏｕｔ及びバッファ部２２８を経て画素２４０に供給される。すると、画素２４０では、第１期間Ｔ２０の間、速い速度で電圧が充電される。実際、第１期間Ｔ２０の間供給される第２基準電圧ｒｅｆ２は、第２ＤＡＣ３２に含まれた抵抗Ｒ１ないしＲ７、Ｒ１０を経ずに画素２４０に供給され、これにより、画素２４０の充電速度が向上する。一方、第１期間Ｔ２０の間、キャパシタＣの第２電極には、第２電圧Ｖ２の値を有する変動電圧ＶＶが供給される。
【００６７】
そして、第２期間Ｔ２１の間、第９スイッチＳＷ９がターンオフされ、キャパシタＣの第２電極に第１電圧Ｖ１の値を有する変動電圧ＶＶが供給される。ここで、第１電圧Ｖ１の電圧値は、第２電圧Ｖ２の電圧値より低く設定される。実際、第１電圧Ｖ１の電圧値は、出力端子ｏｕｔの電圧が第２基準電圧ｒｅｆ２で中間階調の電圧に下降できるように設定される。例えば、第１電圧Ｖ１の電圧値は、出力端子ｏｕｔの電圧値が第２基準電圧ｒｅｆ２で第４ノードＮ４または第５ノードＮ５の電圧値に上昇するように設定される。
【００６８】
このようなキャパシタＣにより出力端子ｏｕｔの電圧が中間階調の電圧に下降すると、画素２４０には、中間階調の電圧値が充電される。すなわち、本発明では、キャパシタＣを用いて出力端子ｏｕｔの電圧値を中間階調の電圧に変更させることにより、中間階調の表現能力を向上させることができる。また、本発明では、キャパシタＣの容量または第２電極に供給される電圧値を制御することにより、出力端子ｏｕｔに供給される電圧レベルの調節が可能となり、これにより、製作工程のばらつきなどを克服することができる。
【００６９】
一方、出力端子ｏｕｔの電圧が中間階調の電圧に下降した後、第１スイッチＳＷ１ないし第８スイッチＳＷ８のいずれか１つがターンオンされる。すると、ターンオンされたスイッチＳＷ１ないしＳＷ８のいずれか１つを経てデータ信号として所定の電圧が画素２４０に供給される。
【００７０】
一方、本発明において、スイチング素子ＳＷ１ないしＳＷ１１は、少なくとも１つのトランジスタを用いて具現される。例えば、スイチング素子ＳＷ１ないしＳＷ１１それぞれは、図１３に示されるように、トランスミッションゲートの形態で接続された２つのトランジスタＮＭＯＳ、ＰＭＯＳを用いて具現されることができる。
【００７１】
前記発明の詳細な説明と図面は、本発明の例示的なものであって、これは、単に本発明を説明するための目的で使用されたものであり、意味の限定や特許請求の範囲に記載された本発明の範囲を制限するものではない。そのため、以上説明した内容を通じて、当業者なら本発明の技術思想を逸脱しない範囲で多様な変更及び修正が可能であることが分かる。したがって、本発明の技術的な保護範囲は、明細書の詳細な説明に記載された内容に限定されるのではなく、特許請求の範囲によって決定されなければならない。
【図面の簡単な説明】
【００７２】
【図１】従来のデジタル−アナログ変換部を示す図である。
【図２】本発明の実施形態による有機発光表示装置を示す図である。
【図３】図２に示されたデータ駆動回路を示す図である。
【図４】図３に示されたデータ信号生成部を示す図である。
【図５】図４に示された第２デジタル−アナログ変換部の第１実施形態を示す図である。
【図６】図５に示された第２デジタル−アナログ変換部の動作過程を示す波形図である。
【図７】図５に示された第２デジタル−アナログ変換部の出力電圧を示す図である。
【図８】図４に示された第２デジタル−アナログ変換部の第２実施形態を示す図である。
【図９】図８に示された第２デジタル−アナログ変換部の動作過程を示す波形図である。
【図１０】図８に示された第２デジタル−アナログ変換部の出力電圧を示す図である。
【図１１】図４に示された第２デジタル−アナログ変換部の第３実施形態を示す図である。
【図１２】図１１に示された第２デジタル−アナログ変換部の動作過程を示す波形図である。
【図１３】第２デジタル−アナログ変換部に含まれるスイッチがトランスミッションゲートの形態で接続された様子を示す図である。
【符号の説明】
【００７３】
２、３００、３０２    ＤＡＣ、
２１０    走査駆動部、
２２０    データ駆動部、
２２２    データ駆動回路、
２２３    シフトレジスタ部、
２２４    サンプリングラッチ部、
２２５    ホールディングラッチ部、
２２６    レベルシフタ部、
２２７    データ信号生成部、
２２８    バッファ部、
２２９    ガンマ電圧部、
２３０    画素部、
２４０    画素、
２５０    タイミング制御部。
【図１】
2007156458.tif 000003
【図２】
2007156458.tif 000004
【図３】
2007156458.tif 000005
【図４】
2007156458.tif 000006
【図５】
2007156458.tif 000007
【図６】
2007156458.tif 000008
【図７】
2007156458.tif 000009
【図８】
2007156458.tif 000010
【図９】
2007156458.tif 000011
【図１０】
2007156458.tif 000012
【図１１】
2007156458.tif 000013
【図１２】
2007156458.tif 000014
【図１３】
2007156458.tif 000015